(57)【特許請求の範囲】
【請求項１】
時間的および／または局所的に可変に設定調整可能な輝度を有する光放出装置であって、前記光放出装置は
基板（４００）と、
前記基板（４００）上の第１の電極面（３００）と、
前記第１の電極面（３００）の下部又は内部又は上部において前記第１の電極面（３００）に電気的に接触し、かつ前記第１の電極面（３００）を越えて突出している少なくとも２つの導電性導体路（３２０）と、
前記第１の電極面（３００）上の少なくとも１つの光放出機能層（２２０）と、
前記光放出機能層（２２０）上の第２の電極面（１００）と
を含んでおり、
前記少なくとも２つの導電性導体路（３２０）は、前記基板（４００）と前記第１の電極面（３００）との間に設けられているか、又は前記第１の電極面（３００）と少なくとも１つの光放出機能層（２２０）との間に設けられているか、又は前記光放出機能層（２２０）を貫通し、時間的および／または局所的に可変のおよび／または異なる量の電流によって駆動制御が可能であり、その結果として変化した輝度が生じるように調整されており、さらに、
前記少なくとも２つの導電性導体路は、有機層及び第２の電極面に対する側方縁部において、非導電性のポリマー層によって被覆されていることを特徴とする、光放出装置。
【請求項２】
前記少なくとも２つの導電性導体路（３２０）は、前記第１の電極面（３００）、前記光放出機能層（２２０）、及び第２の電極面（１００）を貫通している、請求項１記載の光放出装置。
【請求項３】
前記少なくとも２つの導電性導体路（３２０）は、時間的に可変のおよび／または異なる量の電流によって駆動制御が可能であり、その結果として変化した輝度が生じるように調整されている、請求項１記載の光放出装置。
【請求項４】
前記少なくとも２つの導電性導体路（３２０）は、５μｍ乃至１０ｃｍの間隔において相互に前記第１の電極面（３００）上に配置されておりかつ異なっている長さを有している、請求項１から３いずれか１項記載の光放出装置。
【請求項５】
前記少なくとも２つの導電性導体路（３２０）は、５００μｍ乃至１ｃｍの間隔において相互に前記第１の電極面（３００）上に配置されておりかつ異なっている長さを有している、請求項１から４いずれか１項記載の光放出装置。
【請求項６】
前記少なくとも２つの導電性導体路（３２０）は相互に切り離して駆動制御可能である、請求項１から５いずれか１項記載の光放出装置。
【請求項７】
前記少なくとも２つの導電性導体路（３２０）に導電接続されている少なくとも１つの電流源（６００）を備え、前記電流源の出力信号は前記少なくとも２つの導電性導体路に対する個別の変調周波数に設定調整可能である、請求項１から６いずれか１項記載の光放出装置。
【請求項８】
前記少なくとも２つの導電性導体路（３２０）に対する個別の変調周波数は、２００Ｈｚを下回っている、請求項７項記載の光放出装置。
【請求項９】
前記少なくとも２つの導電性導体路（３２０）に対する個別の変調周波数は、１００Ｈｚを下回っている、請求項８記載の光放出装置。
【請求項１０】
前記少なくとも２つの導電性導体路（３２０）は、１つの電流源（６００）とコンタクト形成するための電気的な接続部（３１０）を有しており、前記電気的な接続部は前記少なくとも２つの導電性導体路の異なった端部に存在している、請求項１から９いずれか１項記載の光放出装置。
【請求項１１】
少なくとも第１のグループおよび第２のグループの導電性導体路（３２０）を備え、ここで１つのグループの導体路は相互に導電的に接続されている、請求項１から１０いずれか１項記載の光放出装置。
【請求項１２】
少なくとも２つのグループの導体路（３２０）のそれぞれは別の電流源（６００）に導電接続されており、ここで電流源の出力信号は相互に独立して変調可能である、請求項１１記載の光放出装置。
【請求項１３】
少なくとも２つのグループの導体路（３２０）は共通の電流源（６００）に導電接続されており、該電流源の出力信号は変調可能である、請求項１１記載の光放出装置。
【請求項１４】
前記光放出装置はＯＬＥＤである、
請求項１から１３いずれか１項記載の光放出装置。
【請求項１５】
付加的に、複数の光エレメント（５１０）を備えた光出力結合層（５００）が前記光放出機能層（２２０）の光路に存在している
請求項１から１４いずれか１項記載の光放出装置。
【請求項１６】
複数の光エレメント（５１０）が前記光出力結合層（５００）の主表面に配置されておりかつ
該光エレメントは該表面にわたって異なっている分布および／または幾何学的な形状を有している、請求項１５記載の光放出装置。
【請求項１７】
前記光エレメント（５１０）は、レンズ、プリズム、円柱レンズ、光フィルタユニットおよび散乱粒子から成るグループから選択されている、請求項１５または１６記載の光放出装置。
【請求項１８】
前記第１の電極面（３００）と少なくとも１つの光放出機能層（２２０）との間に付加的に、第１の電荷搬送層（２１０）が存在しており、ここで第１の電荷搬送層は異なっている導電率を有する部分領域を有している、請求項１から１７いずれか１項記載の光放出装置。
【請求項１９】
前記第１の電荷搬送層は横方向において、比較的高い導電率および比較的低い導電率を交番的に有している交番領域を有している、請求項１８記載の光放出装置。
【請求項２０】
前記第１の電荷搬送層（２１０）は、分布が電荷搬送層の部分領域において変化するドープ剤（２４０）を有している、請求項１８または１９記載の光放出装置。
【請求項２１】
前記少なくとも１つの光放出機能層（２２０）と前記第２の電極面（１００）との間に付加的に、第２の電荷搬送層（２３０）が存在しており、ここで該第２の電荷搬送層は異なった導電率を有する異なった部分領域を有している、請求項１８から２０いずれか１項記載の光放出装置。
【請求項２２】
前記第２の電荷搬送層は横方向において、比較的高い導電率および比較的低い導電率を交番的に有している交番領域を有している、請求項２１記載の光放出装置。
【請求項２３】
前記第２の電荷搬送層（２３０）は、分布が前記電荷搬送層の部分領域において変化するドープ剤（２４０）を有している、請求項２１または２２記載の光放出装置。
【請求項２４】
付加的に、前記第１の電極面（３００）の表面は横方向において変化する導電率を有している、請求項１から２３いずれか１項記載の光放出装置。
【請求項２５】
前記第１の電極面（３００）の表面は横方向において変化する表面変形部（３３０）を有している、請求項２４記載の光放出装置。
【請求項２６】
付加的に、前記第２の電極面（１００）の表面は横方向において変化する導電率を有している、請求項１から２５いずれか１項記載の光放出装置。
【請求項２７】
前記第２の電極面（１００）の表面は横方向において変化する表面変化部（３３０）を有している、請求項２６記載の光放出装置。
【請求項２８】
変化する輝度を有する光放出装置であって、
前記光放出装置は、
基板（４００）と、
該基板上の第１の電極面（３００）と、
該第１の電極面上の少なくとも１つの光放出機能層（２２０）と、
該光放出機能層上の第２の電極面（１００）と、
前記光放出機能層の光路に光出力結合層（５００）と
を含んでおり、ここで該光出力結合層は表面にわたって異なっている分布および／または幾何学形状を有する複数の光エレメント（５１０）を有しており、
前記複数の光エレメント（５１０）の分布密度は、光出力結合層の幅及び／又は長さに沿って変動している、光放出装置。
【請求項２９】
前記光エレメント（５１０）は、レンズ、プリズム、円柱レンズ、光フィルタユニットおよび散乱粒子から成るグループから選択されている、請求項２８記載の光放出装置。
【請求項３０】
前記光エレメント（５１０）は前記光出力結合層（５００）の主表面に配置されている
請求項２８または２９記載の光放出装置。
【請求項３１】
前記光放出装置はＯＬＥＤである、請求項２８から３０いずれか１項記載の光放出装置。
【請求項３２】
変化する輝度を有する光放出装置であって、
前記光放出装置は、
基板（４００）と、
該基板上の第１の電極面（３００）と、
該第１の電極面上の第１の電荷搬送層（２１０）と、
該電荷搬送層上の少なくとも１つの光放出機能層（２２０）と、
該光放出機能層上の第２の電極面（１００）と
を含んでおり、
ここで前記第１の電荷搬送層は異なった導電率を有する部分領域を有しており、
前記第１の電荷搬送層（２１０）は、分布が前記第１の電荷搬送層の部分領域において変化するドープ剤（２４０）を有している、光放出装置。
【請求項３３】
前記第１の電荷搬送層は横方向において、比較的高い導電率および比較的低い導電率を交番的に有している交番領域を有している、請求項３２記載の光放出装置。
【請求項３４】
前記少なくとも１つの光放出機能層（２２０）と前記第２の電極面（１００）との間に、第２の電荷搬送層（２３０）が存在しており、前記第２の電荷搬送層は異なった導電率を有する異なった部分領域を有している、請求項３２または３３記載の光放出装置。
【請求項３５】
前記第２の電荷搬送層は横方向において、比較的高い導電率および比較的低い導電率を交番的に有している交番領域を有している、請求項３４記載の光放出装置。
【請求項３６】
前記第２の電荷搬送層（２３０）は、分布が前記第２の電荷搬送層の部分領域において変化するドープ剤（２４０）を有している、請求項３４または３５記載の光放出装置。
【請求項３７】
前記ドープ剤（２４０）の分布は、ドーピング濃度の最大値の１５％を下回っている領域にある、請求項３２から３６いずれか１項記載の光放出装置。
【請求項３８】
光放出装置はＯＬＥＤである、請求項３２から３７いずれか１項記載の光放出装置。
【請求項３９】
変化する輝度を有する光放出装置であって、
前記光放出装置は
基板（４００）と、
前記基板上の第１の電極面（３００）と、
前記第１の電極面上の少なくとも１つの光放出機能層（２２０）と、
前記光放出機能層（２２０）上の第２の電極面（１００）と
を含んでおり、
前記第１の電極面および／または第２の電極面は、横方向において変化する導電率を有しており、さらに、
前記第１の電極面（３００）および／または第２の電極面（１００）の表面は、横方向において変化する表面変化部（３３０）を有しており、
前記表面変化部（３３０）は構造化されたフォトレジスト層を含み、該フォトレジスト層は前記第１の電極面（３００）及び／又は第２の電極面（１００）の表面に被着されていることを特徴とする、光放出装置。
【請求項４０】
前記横方向に変化する表面変化部（３３０）は、電荷担体出射量の局所的な変更及び／又は表面抵抗の局所的な変更によって形成される、請求項３９記載の光放出装置。
【請求項４１】
前記光放出装置はＯＬＥＤである、請求項３９または４０記載の光放出装置。
【発明の詳細な説明】
【技術分野】
【０００１】
本発明は、少なくとも１つの光放出機能層を備えた光放出装置に関する。
【０００２】
この特許出願はドイツ連邦共和国特許出願１０２００６０４４８５２．９および１０２００６０５２０２９．７号の優先権を主張しており、その開示内容はこれを以て参照により本明細書に取り込まれる。
【０００３】
例えばＯＬＥＤのような光放出装置はその平坦な構造により規定されるフラットな、大抵はランバート放射プロフィールを呈している。これらの平坦な光放出装置から例えば大面積の照射ユニット（パネル）を組み立てることができる。均一な放射面は人間の目に対して惑わせる作用をする可能性がある。というのは、空間深度が失われるもしくは光印象が単調に作用するからである。
【０００４】
本発明の課題は、光放出装置に対して上に述べた欠点を低減するための可能性を提供することである。
【０００５】
この課題は、請求項１に記載の光放出装置によって解決される。特別有利な実施形態および改良された光放出装置はその他の請求項の対象である。
【０００６】
本発明の１実施形態による光放出装置において、少なくとも１つの電極面と電気的にコンタクトされている導電性の導体路が使用される。
【０００７】
これら導電性の導体路は光放出装置の電極面と組み合わされかつ時間的に可変のおよび／または異なっている高さの電流によってドライブ制御される。これにより時間的に可変に調整設定可能な輝度を有する光放出装置が実現される。この装置は、第１の電極面が被着されている基板を有している。この上に少なくとも２つの導電性の導体路が存在し、これら導体路は第１の電極面と電気的にコンタクトされている。導電性の導体路の上に少なくとも１つの光放出機能層がおよびその上に第２の電極面が存在している。その際少なくとも２つの導電性の導体路は、これらが時間的に可変および／または異なっている高さの電流によってドライブ制御され、結果的に変化する輝度が生じるようにアレンジもしくはセットアップされている。印加される電流のパルス形状、急峻度、高さおよびタイミングにより、輝度の存在している非線形の依存性を照明のダイナミック制御のために利用することができる。個別の電子的なドライブ制御により、所望の活性（Belebtheit）に対する整合が可能になる。
【０００８】
照明のこの活性もしくはバイタリティは輝きの局所的な変動によって生成することができる。変動は局所的にスタチックまたはダイナミックに引き起こすことができる。これにより目は空間深度を解像しかつ付加的に生き生きとした室内照明を体現することができる。
【０００９】
可変のドライブ制御が行われるこの光放出装置では、本発明の有利な実施形態において装置はＯＬＥＤ、有利には大面積のＯＬＥＤであってよい。
【００１０】
ＯＬＥＤはカソードおよびアノードとして接続することができる第１の電極面および第２の電極面を含んでおり、これらの間に少なくとも１つの組織機能層が存在している。機能層は例えば放出層、電子搬送層および正孔搬送層を含んでいることができる。電圧を印加すると放出層に、カソードから電子が注入されかつアノードから正の電荷（所謂正孔）が注入される。放出層におけるこれら電荷の再結合により光が生成される。
【００１１】
その際有利には、少なくとも２つの導電性の導体路は５μｍ乃至１０ｃｍ、有利には５００μｍ乃至１ｃｍの間隔をおいて電極面に配置されているが、場合によっては異なった長さにおいて配置されていてもよい。これらは相互に別個に電気的にドライブ制御することができる。このために本発明の有利な実施形態において導体路は１つの電流源に導電接続されており、ここで電流源の出力信号はそれぞれの導体路に対して個別の変調周波数に調整設定されるようにすることができる。この変調周波数は有利には２００Ｈｚを、有利には００Ｈｚを下回っている。統計学的に変動する周波数および／または振幅も考えられる。
【００１２】
本発明の１実施形態によれば、導体路は電流源とコンタクト形成するための電気的な接続部を有しており、ここで接続部は導体路の種々異なっている端部に存在していてよい。本発明の別の有利な実施形態において、導体路は少なくとも２つのグループにまとめられており、各グループの導体路は相互に導電接続されている。その際、それぞれのグループが別の電流源に電気的に接続されておりかつ電流源の出力信号が相互に独立して変調可能であるようにすれば有利である。これにより、グループの時間的にずれた輝き変調が可能である。各グループが共通の電流源に電気的に接続されていて、電流源の出力信号を変調できるようにしてもよい。これにより位置に結びついて輝く点灯を生成することができる。この実施形態の利点は、導体路がグループにまとめられているとき、導体路のコンタクト形成が容易になることである。
【００１３】
本発明の別の実施形態の別の有利な特徴は、多数の光エレメントを含んでおりかつ光放出機能層の光路に配置されている付加的な光出力結合層である。その際光エレメントは有利には、この光出力結合層の主表面に存在している。光エレメントは有利には、表面にわたって異なっている分布および／または異なっている幾何学形状を有している。これらは有利には、レンズ、プリズム、円柱レンズ、光フィルタユニットおよび散乱粒子から成るグループから選択されている。光出力結合層および光放出装置のこの種の組み合わせは輝きの局所的な、スタチックな変化を生成するために用いられる。というのは、プレーナ形の光出力結合層は空間的に異なって構造化されておりかつ従って、異なって構造化されておりかつ表面にわたって異なって分布されている光エレメントが結果的に輝度の位置的な、スタチックな変化を引き起こすからである。色位置も光出力結合層により、例えばプリズムの尖端角度によりまたは光フィルタユニットにより周期的に変調することができる。輝きのこのスタチックな変化は上述したように、ダイナミックな変化と組み合わせることができる。
【００１４】
本発明の別の実施形態の別の有利な特徴は付加的に、第１の電極面と少なくとも１つの光放出機能層との間に存在しておりかつ異なっている導電率を有している部分領域を有している第１の電荷搬送層である。その際有利にはそれは、比較的高い導電率および比較的低い導電率を交番的に有しているラテラルに交番的に変化する領域である。この特徴の利点は、空間的なドーピング変化が導電率を局所的に変化する点にある。有利な発展形態において、光放出機能層と第２の電極面との間に第２の電荷搬送層が存在しており、ここで第２の電荷搬送層も異なっている導電率を有する部分領域を有している。有利にはそれは、比較的高い導電率および比較的低い導電率を交番的に有しているラテラルに交番する領域である。第２の電荷搬送層も、分布が電荷搬送層の異なっている部分領域において変化するドープ剤を有している。第１の電荷搬送層および第２の電荷搬送層は電子搬送層および正孔搬送層から選択されている。その際空間的なドーピング変化により導電率の局所的な変化が生じ、このために輝度の局所的な変化も生じることになる。これにより、観察者は一層生き生きとした照明もしくは場所に依存した強度変化を知覚することになる。
【００１５】
更に付加的に、ラテラル方向に変化する、第１の電極面の表面の導電率は本発明の別の特徴と言える。その際第１の電極面の表面はラテラル方向に変化する表面変化を有している。この特徴の利点は、電極の表面導電率の局所的な変化がキャリア密度の相応の局所的な変化を引き起こすことである。有利には付加的に、第２の電極面の表面はラテラル方向に変化する導電率を有することができ、この場合このことはラテラル方向に変化する表面変化によって実現される。ラテラル方向の表面変化は例えば、プラズマ処理によって生成することができかつこうして局所的に変化されるキャリア出射動作もしくは局所的に変化される表面抵抗が生じる。電極の表面でのキャリア密度の局所的な変化のためにラテラル方向に変化する導電率が生じ、これが原因でラテラル方向に変化する輝度が生じ、これを観察者は生き生きした照明と知覚する。これにより、上述した、輝度のダイナミックな変化に対して付加的に、輝度のスタチックな変化が生じる。
【００１６】
本発明は別の実施形態によれば、基板と、第１の電極面と、少なくとも１つの光放出機能層と、第２の電極面と、前記光放出機能層の光路に光出力結合層とを含んでいる、変化する輝度を有する光放出装置に関する。その際光出力結合層は、表面にわたって異なっている分布および／または幾何学的な形状および／または透光性を有している多数の光エレメントを有している。有利には光エレメントは、レンズ、プリズム、円柱レンズ、光フィルタユニットおよび散乱粒子から選択されておりかつ光出力結合層の主表面もしくは光出射面に配置されている。この光放出装置は有利にはＯＬＥＤである。光出力結合層および光放出装置のこの種の組み合わせは、輝きの局所的な、スタチックな変化を生成するために用いられる。というのは、プレーナ形状の光出力結合層は空間的に異なって構造化されておりかつ従って結果的に、異なって構造化されておりかつ表面にわたって異なって分布している光エレメントに基づいて、出力結合される放射の局所的に異なっている強度に基づいた輝度の局所的にスタチックな変化が生じるようにすることができるからである。色位置も光出力結合層により周期的に変調することができる。このことは例えば、プリズムの尖端角度または光フィルタユニットによって行うことができる。
【００１７】
本発明は更に、基板と、第１の電極面と、第１の電荷搬送層と、少なくとも１つの光放出機能層と、第２の電極面とを含んでいる、変化する輝度を有する光放出装置に関する。その際第１の電荷搬送層は異なっている導電率を有する部分領域を有している。その際それは有利には、比較的高い導電率および比較的低い導電率を交番的に有しているラテラルに交番する領域である。有利には第１の電荷搬送層は、分布が第１の電荷搬送層の部分領域において変化するドープ剤を有している。この特徴の有利な発展形態において、少なくとも１つの光放出機能層と第２の電極面との間に、同じく異なった導電率を有している第２の電荷搬送層が存在しているようにすることができる。その際それは有利には、比較的高い導電率および比較的低い導電率を交番的に有しているラテラルに交番する領域である。ラテラル方向に交番する領域は、分布が第２の電荷搬送層の部分領域において変化するドープ剤を有している。この特徴の利点は、空間的なドーピング変化が導電率の局所的な変化を招来することである。その際ドープ剤の分布は有利には、数パーセントの領域、有利にはドーピング濃度の最大値の１５パーセントを下回っている。この光放出装置はＯＬＥＤである。
【００１８】
本発明の別の実施形態は更に、基板と、第１の電極面と、少なくとも１つの光放出機能層と、第２の電極面とを含んでいる、変化する輝度を有する光放出装置に関し、ここでは第１の電極面および／または第２の電極面はラテラル方向に変化する導電率もしくは局所的に変形されるキャリア出射動作を有している。その際第１の電極面および／または第２の電極面の表面は有利にはラテラル方向に変化する表面変化を有している。有利にはこの光放出装置はＯＬＥＤである。電極の表面上のキャリア密度の局所的な変化はラテラル方向に変化する導電率を引き起こし、そのために結果的にラテラル方向に変化する輝度が生じ、観察者はそれを照明の活性と知覚する。
【００１９】
各図および実施例に基づいて光放出装置を説明する。
【図面の簡単な説明】
【００２０】
【図１ａ】光放出装置の構成の横断面図
【図１ｂ】図１ａの光放出装置の変形された構成の横断面図
【図２ａ】可変にドライブ制御可能な導体路を備えた光放出機能層の平面図
【図２ｂ】可変にドライブ制御可能な導体路を備えた図２ａとは別の光放出機能層の平面図
【図２ｃ】可変にドライブ制御可能な導体路を備えた図２ａとも図２ｂとも別の光放出機能層の平面図
【図２ｄ】図２ｃを変形した実施例の光放出機能層の平面図
【図３】光エレメントを備えた光出力結合層の平面図
【図４ａ】ラテラル方向に変化する導電率を有する層を有している光放出機能層の実施例の横断面図
【図４ｂ】ラテラル方向に変化する導電率を有する層を有している光放出機能層の別の実施例の横断面図
【図４ｃ】ラテラル方向に変化する導電率を有する層を有している光放出機能層の更に別の実施例の横断面図
【図４ｄ】ラテラル方向に変化する導電率を有する層を有している光放出機能層の更にまた別の実施例の横断面図
【００２１】
図１ａには本発明の装置の実施例の横断面が図示されている。ここで基板４００に導電性の導体路３２０が配置されており、導体路もしくは基板の上に第１の電極面３００，その上に少なくとも１つの組織的な構造を持つ層もしくはオーガニック２００および第２の電極面１００が配置されている。層２００は光放出機能層および／または電荷搬送層を含んでいることができる。導体路に電圧が印加されると、導体路は局所的に第１の電極面の導電率を高める。
【００２２】
図１ｂは図１ａの実施例の変形を示している。ここでは導体路３２０は、それが第１の電極面３００、機能層２００および第２の電極面１００を貫いている厚さである。この実施例において、導体路は有利には機能層および第２の電極面に対する側方の縁部において絶縁層、例えば非導電性のポリマー層によって被覆されているようにする。一般に、導体路は可変の厚さを有していてよくかつ第１の電極面の表面の１つ、第１の電極面内または第１の電極面の厚さを越えて存在していることができる。
【００２３】
図２ａには図１の第１の電極面３００が図示されているが、該電極面の上には電気的な接続端子３１０を有する導体路３２０が被着されている。導体路は電極面の表面に存在していてもよいし、電極面内にあってもよいしまたは第１の電極面の厚さを越えていてもよい。殊に導体路は図１に示されているように、基板４００と第１の電極面３００との間に配置されていてよいが、第１の電極面３００と少なくとも１つの組織機能層２００との間に配置されていてもよい。導体路の材料は導電性の金属を含んでいることができる。導体路は有利には５００μｍ乃至１ｃｍまでの間隔をおいて配置されておりかつ異なっている長さであってよく、すなわち導体路は電極面の面全体にわたって延在している必要がないが、有利にはできるだけ長くするとよい。これら導体路のそれぞれは独自の電気的な接続部を有しているので、導体路は個別にドライブ制御可能である。その際変調周波数は外部の観察者にとって視認効果が発揮されるようにするために、それぞれ１００Ｈｚを上回ってはならない。導体路の個別の、可変のドライブ制御により、所望の活性感に整合させることができるダイナミックな照明が行われる。
【００２４】
図２ｂには同様に、電気的な接続端子３１０を備えた導体路３２０が被着されている第１の電極面３００が平面にて示されている。この電極面は例えば図２ａの電極面に代わって図１の装置の第１の電極面として存在していてよく、または図２ｂに図示の導体路の部分は図２ａに図示の導体路の部分と１つの電極面に組み合わされてもよい。本発明のこの別の有利な形態において、それぞれ所属の接続部３１０を備えている導体路３２０は、接続部が電極面の両側に交番的に存在しているように配置されている。この形態は、導体路の、電流源に対する個々の接続が容易になるので有利である。
【００２５】
図２ｃには、例えば図１の装置において、電気的な接続端子３１０を備えた導体路３２０が被着されている電極面として使用することができる第１の電極面３００が平面にて示されている。導体路は電極面の表面に存在しているかまたは電極面内に存在していてよく、あるいは第１の電極面を越えていてもよい。殊に、導体路は、図１に示されているように、基板４００と第１の電極面３００との間に配置されていてよく、または第１の電極面３００と少なくとも１つの組織機能層２００との間に配置されていてよい。本発明の別の有利な形態において、相互に導電接続されている導体路３２０が電極面３００上にグループを形成してまとめられている。図２ｃに示されているように、少なくとも２つのグループは例えば向かい合う櫛歯のように交互に入り込まれた配置形式のものであってよい。グループのそれぞれは１つのグループのすべての導体路に対して共通の独自の接続部３１０を有しており、該接続部は１つの電流源６００によってドライブ制御される。時間ｔに依存した電圧Ｖの印加により、導体路のそれぞれのグループはパルス周波数によってドライブ制御することができ、その際輝度の非線形の依存性を利用して照明をダイナミック制御するように、パルス形状、急峻度、印加される電圧の高さおよびタイミングが選ばれる。
【００２６】
図２ｄには、導体路を備えた電極面の別の有利な実施形態が示されている。ここには、導体路３２０および電気的な接続端子３１０を備えた図１の装置の第１の電極面３００の別の実施形態が平面にて示されており、向かい合う櫛歯のように交互に入り込まれて第１の電極面３００上に配置されている２グループの導体路３２０が同様に形成されている。導体路のグループはそれぞれ相互に導電接続されているが、その接続部３１０はこの実施形態においては１つの電流源６００にのみ接続されている。ここでも時間ｔに依存しているパルス化された電圧Ｖが印加され、該電圧は時間的に種々に変化することができかつこうして輝きのダイナミック制御が行われるようにしている。
【００２７】
図２ａ乃至図２ｄに図示の、電極面の種々の実施形態は例えば、１つの装置においても相互に組み合わせることができ、その場合例えばこれらの図に図示の電極面は装置の第１の電極面であると同時に、これらの図に図示の電極面は装置の第２の電極面でもある。更に、これらの種々の実施形態は１つの電極面においても相互に組み合わせることができる。
【００２８】
図３には、輝度の受動変調に対する例が示されている。光出力結合層５００の平面が図示されており、この層は有利には光放出層２２０の光路に配置されておりかつ多数の光エレメント５１０を含んでいる。この層５００は図１において例えば所謂「ボトムエミッティング」（下方へ放出する）装置における基板４００の、機能層２００とは反対側の主表面に配置されていてよくまたは例えば、「トップエミッティング」（上方へ放出する）装置における図１に図示されていない、層列１００、２００および３００のカプセル化上に存在していてもよい。これら光エレメントは光出力結合層の出射面に存在しておりかつ表面にわたってラテラルな分布を有している。出射面の幾何学形状も分布されていてよい。光エレメントはレンズ、プリズム、円柱レンズもしくはシリンダおよび散乱粒子またはこれらの任意の組み合わせを含んでいる。標準レンズの他にフレネルレンズの使用も考えられる。例えば合成樹脂粒子またはＴｉＯ２粒子または光吸収材料であってよい散乱粒子の幾何学的変化を例えば、複数回のプリントまたは種々の粒子溶液を所望の幾何学形状で適当なマスクにより光放出装置上に塗布する（ドクター）ことによって実現することができる。この措置により、輝きの局所的な、統計学的な変化が生じる。というのは、光出力結合層が著しく構造化されるからである。色位置も例えばプリズムの尖端角度により周期的に変調することができる。分布密度並びに幾何学的変化は光出力結合層の幅および長さに沿って１次元および２次元に行うことができ、ここで分布変動は数センチメートル乃至メートルまでの領域にあってよい。図３に図示の光エレメントは、表面にわたって種々異なっているラテラルな分布を有している略示されているレンズである。択一的にまたは付加的に、別の光エレメントが光出力結合層上に存在しているようにすることもできる。
【００２９】
図４ａは、基板４００上に、第１の電極面３００、第１の電荷搬送層２１０、光放出機能層２２０、第２の電荷搬送層２３０および第２の電極面１００が配置されている光放出装置、例えばＯＬＥＤの断面を示している。その際第１の電荷搬送層２１０および第２の電荷搬送層２３０および光放出機能層２２０は組織層列２００の部分であってよい。第１の電荷搬送層はラテラルな濃度変動を有しているドープ剤２４０を含んでいる。ドーピング度のこの局所的な変動により、第１の電荷搬送層のラテラルに変化する導電性が生成され、このために輝きの修正つまり輝きの変化が生じる。ドーピング度の変動は例えばシェーディングマスクを用いた電荷搬送層の蒸着により実現することができる。変化するドーピングの領域はドーピング濃度の最大値の数パーセントにあり、それは典型的には電荷搬送層における１０体積百分比より低いということになる。
【００３０】
図４ｂにはこの形態の別の有利な実施形態が示されている。ここでは第２の電荷搬送層２３０も空間的に種々異なっているドープ剤２４０を備えており、このために導電率、ひいては輝きの局所的な変化が生じる。
【００３１】
図４ｃには本発明の別の実施形態が示されている。ここでも光放出装置の断面が示されているが、この場合第１の電極面３００の表面がラテラルな表面変形３３０を有している。これは例えば、電極面に被着されている構造化されたホトラッカ層であってよい。これにより、電圧が印加されると少なくとも１つの機能層に注入されるキャリア密度が局所的に変化される。表面変形は例えば、電極面のプラズマエッチングのようなホトリソグラフィープロセスによって実現することができる。表面変形によりキャリアの注入の局所的な変化、ひいてはキャリア密度の局所的な変化が引き起こされる。これにより更に、キャリア再結合、ひいては輝きの変化が引き起こされる。
【００３２】
図４ｄには、図４ｃで説明した本発明の別の変形形態が示されている。ここでは第２の電極面１００の表面も表面変形３３０を有しており、これによりこの場合も変形された表面導電率、ひいては電圧の印加時のキャリアの局所的に変化する注入を招来する。
【００３３】
図４ａ乃至図４ｄで提案されているような体積中もしくは電極上の導電率の変化はラテラルに、例えば２、３乃至数１０ｃｍのオーダにおいて考えられる。
【００３４】
図１乃至４に図示の例は任意に変化および組み合わされて光放出装置に使用することができる。更に、本発明はこれらの実施例に制限されておらず、別の、個々には説明しなかった形態も許容するものであることを断っておく。
【図１ａ】
0005447834.tif 000002
【図１ｂ】
0005447834.tif 000003
【図２ａ】
0005447834.tif 000004
【図２ｂ】
0005447834.tif 000005
【図２ｃ】
0005447834.tif 000006
【図２ｄ】
0005447834.tif 000007
【図３】
0005447834.tif 000008
【図４ａ】
0005447834.tif 000009
【図４ｂ】
0005447834.tif 000010
【図４ｃ】
0005447834.tif 000011
【図４ｄ】
0005447834.tif 000012